(57)【要約】  指紋認証デバイス１０２は、ユーザの指または親指から指紋データを得るための指紋センサ１３０と、デバイス１０２を制御するための制御システム１１４、１２８とを含む。制御システム１１４、１２８は、指紋の識別に応答してデバイスの１つ以上の機能へのアクセスを提供するように構成され、制御システム１１４、１２８は、非指紋認証が作用して指紋認証を少なくとも部分的に置き換えるように働くことができる指紋障害機能をさらに含むため、制御システム１１４、１２８は、ユーザが非指紋認証を介して識別されると、デバイス１０２の１つ以上の機能のうちの少なくとも一部へのアクセスを提供するように構成される。非指紋認証は、ユーザによる指紋認証デバイス１０２との相互作用を要求し、相互作用は、指紋センサ１３０を介して検出された１つ以上のアクションを含む。【選択図】図１
2019513256.tif 000002
【特許請求の範囲】
【請求項１】
指紋認証デバイスであって、ユーザの指または親指から指紋データを得るための指紋センサと、前記デバイスを制御するための制御システムとを備え、
前記制御システムが、認証された指紋の識別に応答して、前記デバイスの１つ以上の機能へのアクセスを提供するように構成され、
制御システムが、ユーザが、非指紋認証を介して識別されるとデバイスの１つ以上の機能のうちの少なくとも一部へのアクセスを提供するように構成されるように、非指紋認証が作用して指紋認証を少なくとも部分的に置き換えることができる指紋障害機能をさらに含み、そして
前記非指紋認証が、前記ユーザによる前記指紋認証デバイスとの相互作用を必要とし、前記相互作用は、前記指紋センサを介して検出された１つ以上のアクションを含む、指紋認証デバイス。
【請求項２】
前記指紋センサを介して検出された前記アクションが、１つ以上の、前記センサとの静止した接触、前記センサとの動いている接触、前記センサとの接触時間、前記センサとの接触の動きの方向、前記センサとの接触の回数、または前記センサと接触していない時間を含む、請求項１に記載の指紋認証デバイス。
【請求項３】
前記非指紋認証が、別のアクションの組み合わせを必要とする、請求項１または２に記載の指紋認証デバイス。
【請求項４】
前記アクションが、一連の平行移動および／または直角移動、あるいは回転する接触または円形移動などのユーザによって定義されたより複雑な動きを含む、請求項１、２または３に記載の指紋認証デバイス。
【請求項５】
前記指紋センサによって検出されたアクションが、１つ以上の接触の時間、接触の数および／または接触の間の間隔を含む、請求項１〜４のいずれか一項に記載の指紋認証デバイス。
【請求項６】
前記制御システムが、前記指紋センサを介して指紋データを得ることによって、認証ユーザを登録するように構成されている、請求項１〜５のいずれか一項に記載の指紋認証デバイス。
【請求項７】
前記制御システムが、ユーザが前記指紋センサを介して指紋を登録して登録中に生成した前記指紋データが記憶される登録モードを有し、そして、前記制御システムが、指紋登録に追加して、および／または前記ユーザを登録できない場合に、非指紋認証コードの登録をユーザに促すように構成されている、請求項１〜６のいずれか一項に記載の指紋認証デバイス。
【請求項８】
前記デバイスがポータブルデバイスである、請求項１〜７のいずれか一項に記載の指紋認証デバイス。
【請求項９】
前記デバイスがスマートカードである、請求項１〜８のいずれか一項に記載の指紋認証デバイス。
【請求項１０】
前記デバイスが指紋認証ＲＦＩＤカードである、請求項１〜９のいずれか一項に記載の指紋認証デバイス。
【請求項１１】
前記デバイスが専用デバイスである、請求項１〜１０のいずれか一項に記載の指紋認証デバイス。
【請求項１２】
前記非指紋認証が、前記指紋センサとの相互作用、および例えば１つ以上のボタン、容量センサまたは加速度計などの１つ以上のさらなるセンサとの相互作用を含む、請求項１〜１１のいずれか一項に記載の指紋認証デバイス。
【請求項１３】
前記デバイスが、前記デバイスの動きを感知するための加速度計を備え、前記制御システムが、前記加速度計の出力に基づいて前記デバイスの動きを識別するように構成され、前記非指紋認証が、前記指紋センサを介して検出された１つ以上のアクションと加速度計によって感知された動きとの組み合わせを含む、請求項１〜１２のいずれか一項に記載の指紋認証デバイス。
【請求項１４】
前記指紋センサを介して検出されたアクションが、前記制御システムに、前記デバイスの複数の動作モードの別のモードの間を切り替えるように促すことができる、請求項１〜１３のいずれか一項に記載の指紋認証デバイス。
【請求項１５】
ユーザの指または親指から指紋データを得るための指紋センサと、前記デバイスを制御するための制御システムとを有する指紋認証デバイスを制御するための方法であって、前記方法が、認証された指紋の識別に応答して前記デバイスの１つ以上の機能へのアクセスを提供する工程と、そしてユーザが、非指紋認証を介して、非指紋認証が作用して指紋認証を少なくとも部分的に置き換えることができる制御システムの指紋障害機能の一部として識別されると、デバイスの１つ以上の機能の少なくとも一部へのアクセスを代替的に、または追加的に提供する工程とを含み、前記非指紋認証が、前記ユーザによる前記指紋認証デバイスとの相互作用を必要とし、前記相互作用が、前記指紋センサを介して検出された１つ以上のアクションを含む、方法。
【請求項１６】
請求項１〜１４のいずれかに記載のデバイスの使用を含む、請求項１５に記載の方法。
【請求項１７】
前記指紋障害機能が、ユーザが指紋認証に使用するために指紋データを提供する意思がない、または提供できない場合に利用される、請求項１５または１６に記載の方法。
【請求項１８】
前記指紋障害機能が、登録されたユーザの指紋認証が失敗に終わる場合に利用される、請求項１５、１６または１７に記載の方法。
【請求項１９】
請求項１〜１４のいずれかに記載の指紋認証デバイスの制御システム上で実行されると、前記制御システムに、認証された指紋の識別に応答して前記デバイスの１つ以上の機能へのアクセスを提供させ、そしてユーザが、非指紋認証を介して、非指紋認証が作用して指紋認証を少なくとも部分的に置き換えることができる制御システムの指紋障害機能の一部として識別されると、デバイスの１つ以上の機能の少なくとも一部へのアクセスを代替的に、または追加的に提供させる命令を含むコンピュータプログラム製品であって、前記非指紋認証が、前記ユーザによる前記指紋認証デバイスとの相互作用を必要とし、前記相互作用が、前記指紋センサを介して検出された１つ以上のアクションを含む、コンピュータプログラム製品。
【請求項２０】
指紋障害機能を提供するために指紋認証デバイスを適応させる方法であって、前記指紋認証デバイスが、ユーザの指または親指から指紋データを得るための指紋センサと、前記デバイスを制御するための制御システムとを備え、前記方法が、請求項１９に記載のコンピュータプログラム製品を指紋認証デバイスにインストールする工程を含む、方法。
【請求項２１】
添付の図面に関連して実質的に上に記載した指紋認証デバイスを制御する方法。
【請求項２２】
添付の図面に関連して実質的に上に記載した指紋認証デバイス。
【発明の詳細な説明】
【技術分野】
【０００１】
本発明は、指紋認証デバイス、および指紋認証デバイスを制御するための方法に関する。
【背景技術】
【０００２】
スマートカードなどの指紋認証デバイスは、ますます、広く使用されている。生体認証が提案されたスマートカードとしては、例えば、アクセスカード、クレジットカード、デビットカード、プリペイドカード、ポイントカード、身分証明書、暗号カードなどが挙げられる。スマートカードは、例えば、ＲＦＩＤなどの非接触技術を介して、データを記憶し、ユーザおよび／または外部デバイスと相互作用する能力を有する電子カードである。これらのカードは、アクセスを可能にしたり、取引を認証するなどのために、センサと相互作用して情報を伝達することができる。指紋認証などの生体認証を使用する他のデバイスも公知であり、これらとしては、コンピュータメモリデバイス、ビルアクセス制御デバイス、軍事技術、車両などが挙げられる。
【発明の概要】
【発明が解決しようとする課題】
【０００３】
場合によっては、指紋認証は、失敗するかもしれないか、または成り立たないかもしれない。例えば、ユーザの指紋は、怪我によって損傷され得るか、または覆われ得る。センサはまた、破損しているか、または動作不能かもしれない。指紋センサについて生じ得る別の状況は登録できないことである。これは、なぜか一部またはすべてのセンサを使用して登録することができない指紋を有するわずかな割合の人々についての基本的な問題であり、人々が指を欠いている、または損傷している場合にも生じる。さらに、一部のユーザは、指紋を詳細に記録したくない。既存の指紋認証デバイスでは、これは大きな問題を呈し、しばしば、代替デバイスを一部のユーザに提供しなければならないことを意味する。
【課題を解決するための手段】
【０００４】
第１の態様から見ると、本発明は、ユーザの指または親指から指紋データを得るための指紋センサと、デバイスを制御するための制御システムとを備える指紋認証デバイスを提供し、制御システムは、認証された指紋の識別に応答してデバイスの１つ以上の機能へのアクセスを提供するように構成され、制御システムは、ユーザが、非指紋認証を介して識別されると、デバイスの１つ以上の機能のうちの少なくとも一部へのアクセスを提供するように構成されるように、非指紋認証が作用して指紋認証を少なくとも部分的に置き換えることができる指紋障害機能をさらに含み、そして非指紋認証は、ユーザによる指紋認証デバイスとの相互作用を必要とし、相互作用は、指紋センサを介して検出された１つ以上のアクションを含む。
【０００５】
したがって、この態様の指紋認証デバイスでは、指紋認証のために登録することができないユーザは、非指紋認証によって、デバイスの機能の一部またはすべてを依然として使用することが可能である。非指紋認証はまた、例えば、登録指紋へのアクセスを妨げる怪我または損傷などのため指紋認証を提供できない場合に、登録ユーザがデバイスを使用し続けるための方法を提供する。さらに、上記のように、一部のユーザは、指紋を介して登録したくないかもしれず、この機能は、それらのユーザが純粋に非指紋認証に基づいてデバイスを使用することを可能にする一方、同時に、指紋センサを、デバイスおよび認証プロセスとの相互作用のための入力として依然として使用する。指紋センサは、非指紋認証プロセスの一部またはすべてのために使用され、提案された非指紋認証は、デバイスにセンサをさらに追加する必要なく実行できるが、他のセンサが存在すると 下記のように利用され得ることを意味する。登録障害機能を可能にする変更は、純粋にデバイスの制御システムに対する調整のみに基づいて実施されてもよく、好都合には、純粋にソフトウェアの変更である場合もある。
【０００６】
指紋センサを介して検出されるアクションとしては、センサとの静止した接触、センサとの動いている接触、センサとの接触時間、センサとの接触の動きの方向、センサとの接触の数、またはセンサとの接触がない時間（すなわち、接触の間の時間）が挙げられる。好ましくは、非指紋認証は、別の入力またはセンサを介した少なくとも１つのアクションと組み合わせて、指紋センサ上の一連のアクションおよび／または指紋センサ上の少なくとも１つのアクションを含む、別のアクションの組み合わせを必要とする。
【０００７】
接触は、デバイスの指紋センサを介して検出可能な任意の接触であってもよい。指紋センサの性質は、皮膚との接触を識別するように構成され、それで、接触は、皮膚の接触、例えば指先または親指の先との接触であり得ることを意味する。ユーザが、なぜか登録することができない指紋の特徴を有しているか、または指紋を登録しないと決めていると、非指紋認証中に使用される指紋センサとの相互作用は、指紋センサが、指紋認証を可能にする接触についての十分なレベルの情報を集めるためには使用されないという事実によって、指紋認証中の相互作用と区別される。
【０００８】
指紋センサによって検出された、静止した接触の形態のアクションは、接触の不在とは異なるため、接触の存在の検出を含むことができる。あるいは、指紋センサによって検出されたアクションは、２つの別の接触の間の差異、例えば、ある人の親指の接触と別の人の親指の接触との違いであるが、完全な指紋登録のためには十分詳細でないかまたは複雑である差異を可能にする接触の特徴の検出を含むことができる。これらの特徴は、登録ユーザのための指紋データと同じ方法で記憶することができる。
【０００９】
指紋センサによって検出された、動いている接触の形態のアクションは、動きの方向および／または動きの速度の検出を含むことができる。方向は、デバイスの１つ以上の軸に対して識別され得る。例えば、スマートカードの場合、制御システムは、カードの長辺と平行に動く接触と、カードの短辺と平行に動く接触とが識別されるように構成することができる。アクションは、一連の平行移動および／または直角移動、あるいは回転接触または円形移動などの、ユーザによって定義されたより複雑な動きを含むことができる。
【００１０】
指紋センサが単に接触の存在を検出するために使用されるか、またはより複雑な特徴を検出するために使用されるかどうかいずれにせよ、指紋センサによって検出されるアクションは、１つ以上の接触の時間、接触の数および／または例えば、モールス符号などの符号に類似している接触間の間隔を含む。したがって、非指紋認証のために必要とされるデバイスとの相互作用は、センサとの一連の静止した、または動いている接触による符号入力を含むか、またはそれらからなることができる。
【００１１】
非指紋認証が、デバイスの１つ以上の機能にアクセスするために使用されると、ユーザは、指紋認証を介してアクセス可能なすべての機能へのアクセスを許可されてもよく、または、ユーザは、これらの機能への制限されたアクセスを与えられてもよい。登録ができない場合、すなわち指紋認証のために利用可能な指紋データがない場合の１つの可能な実施では、ユーザは、非指紋認証を使用してデバイスの１つ以上の機能への完全なアクセスを許可され得る。これは、デバイスが、潜在的にセキュリティが低下するにもかかわらず、登録できないか、または登録に気が進まない人によって使用されることを可能にする。指紋データがあるがなぜかユーザが指紋認証プロセスを完了できない場合、例えば、指の怪我の場合には、デバイスは、非指紋認証に応答して部分的アクセスのみを可能にするように構成することができる。これは、通常、指紋認証を使用するユーザが一時的に指紋認証を提供できない、または非指紋認証を使用することを決める場合に、デバイスの制限された使用を可能にすることができる。例えば、デバイスが金融取引のためのスマートカードの使用であると、非指紋認証は、支払いのサイズの制限を伴う支払いを可能にするが、指紋認証は、制限なし、またはより大きな制限の支払いを許可することができる。
【００１２】
認証ユーザは、最初に、任意に何らかの他のデバイスを介して間接的に、好ましくは指紋センサを介して直接的に指紋をデバイスに登録することができ、次いで、典型的には、デバイスの一部またはすべての使用を認証するために、指紋センサ上に指または親指を置くことが要求される。制御システム内の指紋照合アルゴリズムを使用して、登録ユーザと指紋センサによって検知された指紋との間の指紋の一致を識別することができる。指紋に合致できない場合、制御システムは非指紋認証のためのプロンプトを出すことができる。
【００１３】
好ましくは、例えば指紋テンプレートなどによって、指紋および／または非指紋認証を介してユーザを識別するために使用されるデータを抽出することが不可能であるように、デバイスは構成される。このタイプのデータをデバイス外に送信することは、デバイスのセキュリティに対する最大のリスクの１つと考えられる。
【００１４】
デバイスの外部で指紋データを通信する必要性を避けるために、デバイスは自己登録することができる。すなわち、制御システムは、指紋センサを介して指紋データを得ることによって、認証ユーザを登録するように構成することができる。これはまた、同じ幾何学的形状を有する同じセンサが、指紋認証のように登録に使用されるという事実から生じる利点を有する。指紋データは、別のデバイス上の別のセンサが登録に使用される場合と比較して、このようにしてより一貫して得ることができる。指紋バイオメトリックスでは、１つの問題は、最初の登録が専用の登録端末などの１か所で行われ、照合のためのその後の登録が、一致が必要な端末などの別の場所で行われるときに再現可能な結果を得ることが難しいということである。各指紋センサの周りのハウジングの機械的特徴は、複数のセンサのいずれか１つによって読み取られるたびに指を一貫した方法で案内するように慎重に設計されなければならない。指紋が、各々がわずかに異なる多数の別の端末でスキャンされると、指紋の測定値にエラーが生じ得る。逆に、同じ指紋センサが毎回使用されると、このようなエラーが発生する可能性は減る。
【００１５】
提案されたデバイスによれば、照合スキャンも登録スキャンも同じ指紋センサを使用して実行されてもよい。その結果、例えば、ユーザが登録中に指を横バイアスで提示する傾向があると、照合中もそう行う可能性があるため、スキャンエラーを相殺することができる。
【００１６】
制御システムは、ユーザが指紋センサを介して指紋を登録し、登録中に生成された指紋データをメモリに記憶する登録モードを有することができる。制御システムは、指紋登録（すなわち、後で指紋認証の失敗を可能にする）に追加して、および／またはユーザを登録できない場合に、非指紋認証コードの登録をユーザに促すように構成することができる。
【００１７】
制御システムは、ユーザがすぐに指紋データを登録することができるように、デバイスがユーザに最初に提供されるときに登録モードにあってもよい。最初に登録されたユーザは、例えば、識別が確認された後に、デバイスの入力デバイス上の入力を介して、その後のユーザが追加される登録モードを後で促す機能を設けることができる。あるいは、またはさらに、それは、デバイスと、製造業者または別の認証された法人によって制御された安全なシステムとすることができるセキュアシステムとの間の相互作用などの外部手段を介して制御システムの登録モードを促すことができる。
【００１８】
制御システムは、指紋照合アルゴリズムを実行するための指紋プロセッサと、登録された指紋のための指紋データを記憶するためのメモリとを含むことができる。デバイスの制御システムは、複数のプロセッサを含んでもよく、指紋プロセッサは、指紋センサに関連する別のプロセッサであってもよい。他のプロセッサは、他のデバイスとの通信（例えば、非接触技術による）、受信機／送信機の起動および制御、金融取引などの安全な要素の起動および制御など、デバイスの基本機能を制御するための制御プロセッサを含むことができる。種々のプロセッサを別のハードウェア要素に具体化することも、できる限り別のソフトウェアモジュールとともに単一のハードウェア要素に組み合わせることも可能である。
【００１９】
デバイスは、人に持ち運ばれるように設計されたデバイス、好ましくは便利に持ち運ばれるほど十分に小型で軽いデバイスを意味するポータブルデバイスであってもよい。デバイスは、例えば、ポケット、ハンドバッグまたは財布内で持ち運ばれるように構成することができる。デバイスは、指紋認証ＲＦＩＤカードなどのスマートカードであってもよい。デバイスは、コンピュータシステムへのアクセスのためのワンタイムパスワードデバイスや車両キーレスエントリシステムのフォブなどの、制御トークンの外部のシステムへのアクセスを制御するための制御トークンであってもよい。デバイスは、好ましくはまた、有線の電源に依存しないという意味で携帯可能である。デバイスは、内蔵バッテリによって、および／またはＲＦＩＤリーダなどのリーダなどから非接触で収集された電力によって給電されてもよい。
【００２０】
デバイスは、専用デバイス、すなわち、単一の外部システムまたはネットワークと相互作用するためのデバイスであってもよく、単一のタイプの外部システムまたはネットワークと相互作用するためのデバイスであってもよく、他のどんな目的も有しないデバイスであってもよい。したがって、デバイスは、スマートフォンなどのような複雑で多機能なデバイスと区別されるべきである。
【００２１】
デバイスがスマートカードであると、スマートカードは、アクセスカード、クレジットカード、デビットカード、プリペイドカード、ポイントカード、身分証明書、暗号カードなどのいずれか１つであってもよい。スマートカードは、好ましくは、８５．４７ｍｍ〜８５．７２ｍｍの幅と、５３．９２ｍｍ〜５４．０３ｍｍの高さとを有する。スマートカードは、０．８４ｍｍ未満、好ましくは約０．７６ｍｍ（例えば±０．０８ｍｍ）の厚さを有していてもよい。より一般的には、スマートカードは、スマートカード用の仕様であるＩＳＯ７８１６に準拠していてもよい。
【００２２】
デバイスが制御トークンである場合、例えば車両用のキーレスエントリキーであってもよく、この場合、外部システムは、車両および／または点火システムのロック／アクセスシステムであってもよい。外部システムは、より広義には、車両の制御システムであってもよい。制御トークンは、単に認証ユーザの生体認証識別に応答して送信される車両の機能へのアクセスを与える無線周波数信号とともにマスターキーまたはスマートキーとして機能することができる。あるいは、制御トークンは、デバイスが認証ユーザを識別する場合に、単に送信され得る車両のロック解除のための信号とともにリモートロック型キーとして機能することができる。この場合、認証ユーザの識別は、従来技術のキーレスエントリタイプのデバイスのロック解除ボタンを押すのと同じ効果を有することができ、車両のロック解除のための信号は、認証ユーザの識別の際に自動的に送信され得るか、または制御トークンが認証ユーザの認証によって起動されたときにボタン押しに応答して送信され得る。
【００２３】
非指紋認証は、指紋センサ、およびオプションで１つ以上のさらなるセンサとの相互作用を含むことができる。いくつかの実施態様では、非指紋認証なしの「標準」デバイスと比較してセンサは追加されないが、追加のセンサが既に存在すると、非指紋認証は、このようなデバイスとの相互作用および指紋センサとの相互作用を含むことができる。指紋認証デバイス上の追加のセンサは、例えば、１つ以上のボタン、容量センサまたは加速度計を含むことができる。
【００２４】
したがって、デバイスは、デバイスの動きを感知するための加速度計を備えることができ、制御システムは、加速度計の出力に基づいてデバイスの動きを識別するように構成されており、非指紋認証は、指紋センサを介して検出された１つ以上のアクションと、加速度計によって感知された動きとの組み合わせを含む。
【００２５】
指紋センサを介して検出されたアクションと、加速度計、および／またはボタンまたは他のセンサを介した入力によって検出された動きとを含む、ユーザがデバイスと相互作用するための種々の可能な方法は、制御システムが、デバイスの複数の動作モードの別のモードの間を切り替える命令として使用される。
【００２６】
加速度計によって感知される動きは、１つ以上の方向（時計回り／反時計回り）および／または１つ以上の回転軸でのデバイスの回転、１つ以上の方向（順方向／逆方向）のデバイスの並進、１つ以上の方向（前方／後方）および１つ以上の軸に沿った加速度および１つ以上の方向（前方／後方）のジャークまたはインパルスを含むことができる。これらの動きの組み合わせ、例えば、加速度計によって検出された動きを特徴づけるための並進と加減速との組み合わせを含む「フリック」モーションも検出されてもよい。デバイスがスマートカードであると、上で参照された軸は、例えば、カードの長辺、カードの短辺、およびカードの法線に整列したｘ、ｙ、ｚ軸であってもよい。加速度計は、例えばデバイスが落下したときなどの自由落下の動きを検出するように構成することもできる。自由落下を検出するために加速度計を使用することは十分に確立されており、たとえばハードディスクドライブの安全機能を有効にして落下時の損傷を妨げるために使用される。
【００２７】
加速度計によって感知されるデバイスの回転は、例えば、スマートカードを縦向きから横向きに切り替える、またはカードを裏返すなど、デバイスの向きの変化を含むことができる。回転は、任意の方向に９０度回転、１８０度回転、２７０度回転または３６０度回転、または介在する値を含むことができる。
【００２８】
並進運動には、オプションで、フリッキングタイプモーションまたはタッピングモーションのような加減速と組み合わせて、波動モーションが含まれてもよい。
【００２９】
制御システムは、加速度計の出力に基づいてデバイスの動きを識別し、これを非指紋認証で使用し、および／または予め設定された動きに応答してデバイスの動作モードを変更するように構成することができる。予め設定された動きは、上記の動きのいずれかまたはすべてを含むことができる。さらに、制御システムは、動きのない時間の長さ、すなわち、デバイスのアクティブな使用がないことを示す時間を決定することができ、これを使用してデバイスの動作モードを変更することもできる。制御システムはまた、ダブルタップ、または並進運動の後に摺動およびねじり運動などの回転が続くような、繰り返した動きまたは一連の動きを識別するように構成されていてもよい。好都合なことに、デバイスは、ユーザが自分自身の動きおよび／または動きの組み合わせを設定することを可能にするように構成することができる。例えば、制御システムは、ユーザによる動きの組み合わせを制御システムに教示し、次いで、デバイスの動作モードにおける特定の変更に割り当てることができる学習モードを有することができる。これは、個々人に固有の動きを使用することによってセキュリティを強化することができる。
【００３０】
ユーザとデバイスとの相互作用によって制御されるデバイスの動作モードは、高いレベルの機能、例えば、デバイスをオンにすること、またはオフにすること、非接触支払いなどのデバイスの安全な態様の活性化、デバイスの基本機能を変更すること、例えば、スマートカードを、アクセスカード、支払カード、または輸送スマートカードとして動作するか、同じタイプの別のアカウント（例えば、２つの銀行口座）間を切り替えるかのように、スマートカードを切り替えることによって、デバイスの基本機能を提供する。
【００３１】
あるいは、またはさらに、ユーザとデバイスとの相互作用によって制御されるデバイスの動作モードは、デバイスのより特定の機能、例えば通信プロトコル（例えば、ブルートゥース（登録商標）、無線、ＮＦＣ）の切り替えおよび／またはＬＣＤまたはＬＥＤディスプレイなどのディスプレイを起動するか、またはワンタイムパスワードなどのデバイスからの出力を得ることができる。
【００３２】
あるいは、またはさらに、ユーザとデバイスとの相互作用によって制御されるデバイスの動作モードは、デバイスにデバイスの標準アクションを自動的に実行するように促すことを含むことができる。このような標準的な動作の例としては、ＡＴＭとの通信中またはその前の特定の動きに応答して、予め設定された現金引出し、学習またはセットアップモードに入ること、スマートカードのＰＩＮ起動（すなわち、外部カードリーダのキーパッドを介したＰＩＮ入力）、非接触型リーダまたはスマートフォン（例えば、ＮＦＣを介した）へのメッセージの送信などが挙げられる。
【００３３】
制御システムは、ユーザが特定の動作モードを起動すべき相互作用（別の相互作用またはアクションの組み合わせを含む）を指定すること、および／または非指紋認証の一部として使用されるアクションを指定することを可能にするように構成されてもよい。制御システムは、一組の動作モードの各々に対して別のアクションを使用してもよく、あるいは繰り返したアクションに応答して一組の動作モードの動作モードを繰り返してもよい。
【００３４】
デバイスの動作モードの動きと変更との組み合わせの例としては、スマートカードを軽く打って、カードの用途を、例えば、アクセスカード、支払カード、輸送システムカードの間を切り替えること、予め設定された（好ましくは、ユーザが指定した）起動ジェスチャーを介してデバイスをオンにすること、デバイスを１８０度回転させてブルートゥース（登録商標）とＮＦＣとを切り替えること、表面を２回軽く叩いてディスプレイを起動することなどが挙げられる。
【００３５】
１つの例としては、自由落下が検出されると、デバイスを落下デバイスモードに置くことが挙げられる。このモードでは、デバイスのさらなる使用が許可される前、またはデバイスの完全な使用が許可される前に、デバイスが拾われた後にセキュリティ機能を介して再認証が必要な場合がある。これは、落下デバイスが権限のないユーザによって見つけられた場合、不正に使用されないことを保証し得る。セキュリティ機能は、指紋認証、非指紋認証、および／またはスマートカード用のカードリーダでのＰＩＮの使用であってもよい。支払カードの１つの例では、その後の認証が提供されるまで、カードを落とした後の非接触支払いを介した自動取引の認証がない場合がある。
【００３６】
デバイスは眠り／休みモードに入り、一時期、例えば、用途に応じて数日または数週間放置された後、継続した使用のために再活性化または再認証が必要とされることがある。再活性化には、特定の一連の動きが検出されること、またはセンサとの相互作用を介した活性化が必要となることがある。再認証は、落下デバイスモードに関して上記のようなものであってもよい。
【００３７】
単一の感知軸を有する加速度計によって動きを検出することができるが、あらゆる方向の加速度を検出できることが好ましい。これは、複数の加速度計によって行うことができるが、好ましくは、３軸加速度計など、全方向の加速度を検出することができる単一の加速度計が使用される。
【００３８】
加速度計は、ＭＥＭＳ加速度計などの微小機械加工された加速度計であってもよい。あるいは、加速度を検出することができる専用圧電加速度計または別の圧電センサ（例えば、圧電サウンダまたはマイクロフォン）などの圧電センサを使用することができる。これらのタイプの加速度計を使用することにより、デバイスのサイズを増大させる必要なく、これらをポータブルデバイスにインストールすることが可能になる。これらはまた、消費電力が低く、スマートカードなどのポータブルデバイスの場合に別の設計上の制約であり得る。圧電センサは、好都合には、圧電センサによって入力が検出されるまでゼロの電力消費であるように、デバイスに組み込むことができる。加速度計は、微小機械加工されたカンチレバーまたは地震質量（ｓｅｉｓｍｉｃ  ｍａｓｓ）などの感知要素を使用することができる。例示の実施態様では、加速度検知は、検知要素の加速度誘導運動から生じる微分静電容量の原理に基づいている。使用可能な考えられる加速度計は、米国ニューヨーク州イサカのＫｉｏｎｉｘ，Ｉｎｃ．によって提供されるような３軸デジタル加速度計である。例示の実施形態は、Ｋｉｏｎｉｘ  ＫＸＣＪＢ−１０４１加速度計を使用する。
【００３９】
デバイスは、ＲＦＩＤまたはＮＦＣ通信を使用するなど無線通信が可能であってもよい。代替的または追加的に、デバイスは、例えば「チップおよびピン」支払カードのために使用されるものなどの接触パッドなどを介して、接触接続を備えることができる。種々の実施形態では、デバイスは、無線通信と接触通信の両方を可能にすることができる。
【００４０】
第２の態様から見ると、本発明は、ユーザの指または親指から指紋データを得るための指紋センサと、デバイスを制御するための制御システムとを有する指紋認証デバイスを制御するための方法を提供し、本方法は、認証された指紋の識別に応答してデバイスの１つ以上の機能へのアクセスを提供する工程と、ユーザが、非指紋認証を介して、非指紋認証が作用して指紋認証を少なくとも部分的に置き換えることができる制御システムの指紋障害機能の一部として識別されると、デバイスの１つ以上の機能の少なくとも一部へのアクセスを代替的に、または追加的に提供する工程とを含み、非指紋認証は、ユーザによる指紋認証デバイスとの相互作用を必要とし、相互作用は、指紋センサを介して検出された１つ以上のアクションを含む。
【００４１】
本方法は、指紋認証デバイスに関連して上記のような特徴を含むことができる。したがって、指紋センサを介して検出されたアクションは、上記のような１つ以上のアクションを含むことができる。デバイスは、上記のような任意のまたはすべての機能を有することができる。例えば、本方法は、加速度計を含むデバイスの使用を含み、したがって、デバイスの動きを検出する工程、非指紋認証に関してこれらの動きを使用する工程、および／または動作モードの変更を促す工程を含むことができる。本方法は、登録ユーザと、指紋センサによって感知された指紋との間の指紋の一致を識別するために、制御システムにおける指紋照合アルゴリズムを使用する工程を含むことができる。本方法は、指紋センサを介して指紋データを得ることによって、認証ユーザを登録するために制御システムの登録モードを使用する工程を含むことができる。制御システムは、ユーザが指紋センサを介して指紋を登録することができる登録モードを有することができ、ユーザは、指紋登録に追加して（すなわち、後で指紋認証の失敗を可能にする）および／またはユーザを登録できない場合に非指紋認証コードの登録を促される。
【００４２】
非指紋認証は、上記のように、指紋センサと、オプションで１つ以上のさらなるセンサとの相互作用を含むことができる。
【００４３】
第３の態様では、本発明は、上記のような指紋認証デバイスの制御システム上で実行されると、制御システムに、認証された指紋の識別に応答してデバイスの１つ以上の機能へのアクセスを提供させ、そしてユーザが、非指紋認証を介して、非指紋認証が作用して指紋認証を少なくとも部分的に置き換えることができる制御システムの指紋障害機能の一部として識別されると、デバイスの１つ以上の機能の少なくとも一部へのアクセスを代替的に、または追加的に提供させる命令を含むコンピュータプログラム製品を提供し、非指紋認証は、ユーザによる指紋認証デバイスとの相互作用を必要とし、相互作用は、指紋センサを介して検出された１つ以上のアクションを含む。命令は、制御システムに、上記のオプションの、および好ましい機能のいずれか、またはすべてに従って動作させるように構成することができる。
【００４４】
上記から、指紋認証のための指紋センサを備えた既存の指紋認証デバイスと、デバイスを制御するための制御システムとは、本明細書に記載された有利な指紋障害機能を実施するように変更できることが理解されよう。これは、上記のようなコンピュータプログラム製品をインストールすることによって行うことができる。したがって、本発明の別の態様は、指紋障害機能を提供するために、指紋認証デバイスを適合させる方法を提供し、指紋認証デバイスは、ユーザの指または親指から指紋データを得るための指紋センサと、デバイスを制御するための制御システムとを備え、本方法は、上記のようなコンピュータプログラム製品を指紋認証デバイスにインストールする工程を含む。
【００４５】
現在請求されていない第４の態様では、本発明は、複数の動作モードを有するスマートカードを提供し、スマートカードは、スマートカードの動作を制御するためのプロセッサと、スマートカードの動きを感知するための加速度計とを備え、プロセッサは、加速度計によって感知された動きに応答して複数の動作モードの別のモード間を切り替えるように構成されている。
【００４６】
このスマートカードは、ユーザによるスマートカードを持つ、または触るという動き、またはジェスチャーを使用して、ユーザとスマートカードとの間の相互作用を可能にすることによって、追加の機能を提供する。これは、カード上の入力デバイス、例えば、直接的な物理的接触を必要とするボタンなどの操作が必要なく、代替のカード機能が作動することを可能にすることができる。好都合には、スマートカードは非接触型カードであるため、ユーザは、唯一の接触がユーザによるカードの保持であるカードリーダを介してカードを使用することと同様に、別のモード間を切り替えることができる。これは、スマートカードがどのように使用されるかにおいて、カードの操作の容易さを損なわずに、機能と複雑さとが増えることを可能にすることができる。
【００４７】
加速度計によって感知された動きは、例えば、上記のようなものであってもよい。この態様のスマートカードは、第１の態様のデバイスについて上記の任意のまたはすべての特徴を含むことができる。
【００４８】
加速度計は、ユーザによって選択された順序に固有の振動／運動パターンを測定する。プロセッサは、スマートカードに登録される運動パターンを受信して記録するように構成されてもよい。代替的にまたは追加的に、運動パターンによって生成された加速度計出力データは、登録中にカードから送信され、外部データベースに記録されてもよい。プロセッサは、加速度計によって感知された動きの両方が、登録された運動パターンとの一致であると判定され、生体認証センサを介してユーザの身元の認証がある場合に、１つ以上の安全な機能へのアクセスを許可するように構成されてもよい。
【００４９】
加速度計の出力は、ユーザによって行われた一連の動きに固有であり、スマートカードに固有のものでもある。各スマートカードは固有の固有振動数を持ち、ユーザとカードとの相互作用に動的に反応し、他のカードとは別の方法で応答する。例えば、よりかたいカードは、ユーザが振るか、または軽く叩くと、よりしなやかなカードとは異なるように動く。したがって、加速度計によって検出されるカードの動きには、スマートカードの動的反応の影響が含まれることを理解することが重要である。加速度計によって検出された動きに関する本明細書の議論は、その文脈において理解されるべきである。加速度計からの出力信号（すなわち、加速度計出力データ）は、スマートカードの動的反応と、行われた運動の表現である。
【００５０】
加速度計の出力データはユーザにもカードにも固有であるため、データを複製することはできない。「偽の」カードが生成され、タップシーケンスデータがマイクロプロセッサに「注入」されると、新しいカードの動的反応は元のカードとは異なるため、運動パターンを模倣することによってハッキングすることはできない。量産されているスマートカードの場合、スマートカードの構成における公差と不可避の小さな変動が、スマートカードの動きの特徴の違いにつながる可能性がある。
【００５１】
同じ基本プロセスを使用して製造された量産スマートカードの間の差異を増やすために、製造方法は、各個々のカードが、完全に固有の運動パターンを有するように、加速度計の位置を変えること、および／または異なる特徴を有する質量／剛性要素をカードに追加することを含む。したがって、いくつかの例では、スマートカードは、追加された質量要素または剛性要素を含むことができる。別のユーザが、所有者のタップシーケンスに従って元のカードを使用しようとすると、不正ユーザがカードを保つ（例えば、偽の生体認証受諾をうまく作った後）方法と、不正ユーザのタッピングの癖がまた、別の共振を作る。
【００５２】
スマートカードは、好ましくはカードに埋め込まれた指紋センサなど、生体認証センサを備えることができる。この特徴により、認証ユーザは、最初に実際のカードに指紋を登録することができ、次いで、カードの使用の一部または全部を認証するために、指または親指を指紋センサに置くことを要求されることができる。プロセッサ上の指紋照合アルゴリズムを使用して、登録ユーザと指紋センサによって検知された指紋との間の指紋の一致を識別することができる。
【００５３】
生体認証センサは、動きによるカードのその後の制御を作動させるため、または支払／銀行カードによる支払いまたは引出し、などより高いセキュリティを示した機能を作動させるため、またはスマートカードがアクセスカードである場合より安全なエリアへアクセスするために使用することができる。生体認証は、より安全な動作を完了するために、カードの動きに加えて要求されてもよい。
【００５４】
場合によっては、失敗するかもしれないか、または成り立たないかもしれない。例えば、指紋センサの場合、ユーザの指紋は、怪我によって損傷され得るか、または覆われ得る。センサはまた、破損しているか、または動作不能かもしれない。この場合、スマートカードは、好都合には、予め設定された、そして好ましくは複雑な、生体認証のためのバックアップとして機能する動きを可能にすることができる。複雑な動きは、２つ以上の動き、例えば回転、並進などの３つ、４つまたは５つの動きを含む動きの順序であってもよい。好ましくは、予め設定された動きは、ユーザが定義すると、ユーザに固有のものであってもよい。
【００５５】
特に、生体認証センサおよび指紋センサの一部の形態で生じ得る状況は、登録できないことである。これは、なぜか一部またはすべてのセンサを使用して登録することができない指紋を有するわずかな割合の人々についての基本的な問題である。指紋の場合、このような障害は、通常、指を欠いている、かすかな指紋、および指の損傷など、欠けている、または弱い特徴によって引き起こされる。生体認証登録への代替案を提供するシステムはまた、むしろ単に生体認証の詳細を記録しないであろうユーザによる生体認証カードの使用を可能にすることができる。加速度計によって感知された動きは、生体認証カードの非生体認証の代替物として使用することができるため、人々は生体認証システムを使用せずに依然としてシステムまたはサービスにアクセスすることができる。この場合、生体認証センサと加速度計とを含むスマートカードは、生体認証データの代替物として加速度計によって感知された動きを介して登録する能力を備えることができる。ユーザは、上記のタイプの複雑な動きなど、カードの使用の認証のための動きまたは一連の動きを設定することができる。これは、感知された動きの唯一の目的であってもよく、および／または感知された動きはまた、さらに別の動作モード間でカードを変更するために使用されてもよい。
【００５６】
現在請求されていない第５の態様から見ると、本発明は、スマートカードの動作を制御するためのプロセッサと、スマートカードの動きを感知するための加速度計とを備えるスマートカードを制御する方法を提供し、本方法は、加速度計とプロセッサとを使用してスマートカードの動きを検出する工程と、検出された動きに応答してスマートカードの複数の動作モードの別のモード間を切り替える工程を含む。
【００５７】
本方法は、第１の態様または第４の態様に関連して上記のような機能を備えたスマートカードの使用を含むことができる。検出された動きは、上記のようなものであってもよく、および／または動作モードは上記のようなものであってもよい。
【００５８】
本方法は、どの動き（動きの組み合わせを含む）が特定の動作モードを作動させるべきかをユーザに指定させる工程を含むことができる。
【００５９】
スマートカードは、好ましくは、カード内に埋め込まれた指紋センサなどの生体認証センサを備えることができる。本方法は、支払／銀行カードでの支払いまたは引出し、または、スマートカードがアクセスカードである場合に、より安全なエリアへのアクセスなど、動きによるカードのその後の制御を作動させ、またはより高いセキュリティを示した機能を作動させために使用され得る生体認証センサを使用する工程を含む。
【００６０】
本方法は、スマートカード内に埋め込まれた生体認証センサを使用して、スマートカードのベアラの身元を認証する工程と、身元が認証された後にのみ動きを活性化するユーザのカードとの相互作用を可能にする工程とを含むことができる。動きを活性化するカードとの相互作用は、生体認証後の設定期間、例えば数時間または数日間可能にすることができる。このようにして、ユーザは、継続した再認証なくカードの機能にアクセスすることができるが、生体認証の使用によって強化されたセキュリティの利益が提供される。
【００６１】
本方法は、例えば生体認証が失敗する場合に、カードの動作モードの一部またはすべてを可能にするために、または生体認証センサを使用せずに登録を可能にするために、生体認証の代わりに一連の動きの使用を含むことができる。
【００６２】
本発明はまた、スマートカードを製造する方法を含むことができる。これは、第１の態様または第４の態様のような特徴を提供することからなる。製造方法はまた、上記のオプションの特徴のいずれかまたはすべてを提供することを含むことができる。本方法は、上記のように機能するようにプロセッサをプログラミングすることを含むことができる。振動パターンの差異を増やし、したがって、同一の動きに曝される同じプロセスを使用して製造されたカード間で加速度計の出力のより大きな差異を可能にするために、製造方法は、加速度計の位置を変えること、および／または各個々のカードが独特の振動パターンを有するように、質量／剛性要素を異なる特徴とともにおよび／またはカードの異なる位置に追加することを含むことができる。本方法は、オプションで、質量および／または剛性要素をカードに、例えばカードの回路基板上に追加することを含むことができ、質量および／または剛性要素は異なる質量および／または剛性の特徴を有する要素のセットから選択される。これにより、追加の質量および／または剛性要素を同じ位置に配置することが可能になり、製造が容易になる一方、追加された要素の質量および／または剛性が変わるため、カードの動きに対する変わりやすい効果を確実にすることができる。あるいは、またはさらに、質量および／または剛性要素が、各カードについて異なる位置でカードに追加されてもよい。これは、各カードについて同一の質量および／または剛性要素を使用することができ、または質量および／または剛性要素が異なる質量および／または剛性の特徴を有する要素のセットから選択される。
【００６３】
なお、さらなる態様では、本発明はまた、上記のようなスマートカード内のプロセッサ上で実行されると、プロセッサに、加速度計からの出力に基づいてスマートカードの動きを識別させ、検出された動きに応答してスマートカードの複数の動作モードの別のモード間を切り替えさせる命令を含むコンピュータプログラム製品を提供することができる。命令は、プロセッサに、上記のオプションのおよび好ましい特徴のいずれかまたはすべてに従って動作させるように構成することができる。
【００６４】
本発明のある好ましい実施形態を、例示のみを意図して、添付の図面を参照して、以下に、より詳細に説明する。
【図面の簡単な説明】
【００６５】
【図１】指紋センサを備えたスマートカードのための回路である。
【図２】外部ハウジングを含むスマートカードの第１の実施形態である。
【図３】積層されたスマートカードの第２の実施形態である。
【発明を実施するための形態】
【００６６】
例示のみを意図して、本発明は、非接触技術を含みカードリーダから収集された電力を使用する指紋認証スマートカードという文脈において説明される。これらの特徴は、提案された指紋障害機能の１つの用途の有利な特徴であると考えられるが、本質的な特徴としては見られない。したがって、スマートカードは、代替的に、物理的な接触を使用してもよく、および／または、例えば内部電力を供給するバッテリを含んでもよい。指紋認証を使用する任意の他のデバイスやシステムでも、指紋障害機能を適切に変更して実施することができる。
【００６７】
図１は、提案された指紋障害機能が提供されるスマートカード１０２のアーキテクチャを示す。給電されたカードリーダ１０４は、アンテナ１０６を介して信号を送信する。信号は、典型的には、ＮＸＰセミコンダクターズ社製のＭＩＦＡＲＥ（登録商標）およびＤＥＳＦｉｒｅ（登録商標）システムでは１３．５６ＭＨｚであるが、ＨＩＤＧｌｏｂａｌＣｏｒｐ．社製の低周波ＰＲＯＸ製品では１２５ｋＨｚである。この信号は、同調コイルとコンデンサとを備えるスマートカード１０２のアンテナ１０８によって受信され、次いで、通信チップ１１０に渡される。受信信号は、ブリッジ整流器１１２によって整流され、整流器１１２のＤＣ出力が、通信チップ１１０からのメッセージングを制御するプロセッサ１１４に供給される。
【００６８】
プロセッサ１１４からの制御信号出力は、アンテナ１０８に接続される電界効果トランジスタ１１６を制御する。トランジスタ１１６をオンおよびオフに切り替えることによって、信号がスマートカード１０２によって送信され、センサ１０４の適切な制御回路１１８によって復号され得る。このタイプのシグナリングは、後方散乱変調として公知であり、センサ１０４を使用してそれ自体に対する戻りメッセージを動かすという事実によって特徴付けられる。
【００６９】
オプションの機能である加速度計１６は、適切な方法でプロセッサ１１４に接続される。加速度計１６は、米国ニューヨーク州イサカのＫｉｏｎｉｘ社が提供する３軸デジタル加速度計であり得、この例では、それはＫｉｏｎｉｘ  ＫＸＣＪＢ−１０４１加速度計である。加速度計は、カードの動きを感知し、プロセッサ１１４に出力信号を提供し、プロセッサ１１４は、以下に説明するようにカード上の必要な動作モードに関連する動きを検出し識別する。加速度計１６は、電力が駆動中のカードリーダ１０４から収集されるときにのみ使用されてもよく、あるいは、スマートカード１０２は、加速度計１６に余裕をもつバッテリ（図示せず）と、プロセッサ１１４の関連機能およびいつでも使用されるべきデバイスの他の機能がさらに設けられてもよい。
【００７０】
スマートカードは、指紋プロセッサ１２８と指紋センサ１３０とを含む指紋認証エンジン１２０をさらに含む。これは、指紋識別を介して登録および認証を可能にする。指紋プロセッサ１２８と、通信チップ１１０を制御するプロセッサ１１４とは、デバイスのための制御システムを一緒に形成する。２つのプロセッサは、別々のハードウェアを使用することもできるが、実際には同じハードウェア上にソフトウェアモジュールとして実装することができる。加速度計１６（存在する場合）と同様に、指紋センサ１３０は、電力が駆動中のカードリーダ１０４から収集されているときにのみ使用されてもよいし、あるいは、スマートカード１０２は、電力が指紋センサ１３０および指紋プロセッサ１２８、ならびにプロセッサ１１４およびデバイスの他の機能のためにいつでも提供されることを可能にするバッテリ（図には示されていない）がさらに設けられてもよい。
【００７１】
アンテナ１０８は、誘導コイルと、カードリーダ１０４からＲＦ信号を受信するように調整されたコンデンサとを含む同調回路を含む。センサ１０４によって生成された励起フィールドに曝されると、アンテナ１０８に電圧が誘導される。
【００７２】
アンテナ１０８は、アンテナ１０８の各端に１つずつ、第１および第２の端部出力線１２２、１２４を有する。アンテナ１０８の出力線は、指紋認証エンジン１２０に接続され、指紋認証エンジン１２０に電力を供給する。この構成では、整流器１２６が設けられ、アンテナ１０８によって受信されたＡＣ電圧を整流する。整流されたＤＣ電圧は、平滑コンデンサを使用して平滑化され、次いで、指紋認証エンジン１２０に供給される。
【００７３】
エリア指紋センサ１３０であり得る指紋認証エンジンの指紋センサ１３０は、図２に示すように、カードハウジング１３４に取り付けられてもよく、または図３に示すように、積層カード本体１４０から露出されるように取り付けられてもよい。カードハウジング１３４または積層体１４０は、図１の構成要素のすべてを包み、従来のスマートカードと同様の大きさに作られている。指紋認証エンジン１２０は受動的であるため、アンテナ１０８からの電圧出力によってのみ給電される。プロセッサ１２８は、合理的な時間に指紋照合を実行することができるように、非常に低電力かつ非常に高速であるように選ばれる。
【００７４】
指紋認証エンジン１２０は、指紋センサ１３０に提示された指または親指をスキャンし、プロセッサ１２８を使用して、スキャンされた指または親指の指紋を、予め記憶された指紋データと比較するように構成される。次いで、スキャンされた指紋が、予め記憶された指紋データと一致するかどうかについて判定が行われる。好ましい実施形態では、指紋画像を取り込んでカード１０２のベアラを認証するために必要な時間は１秒未満である。
【００７５】
指紋の一致が判定され、および／または適切な動きが加速度計１６を介して検出されると、プロセッサはそのプログラミングに応じて適切な処置を講じる。この例では、指紋認証プロセスは、非接触型カードリーダ１０４を伴うスマートカード１０４の使用を認証するために使用される。したがって、指紋照合が行われるときに、通信チップ１１０は、カードリーダ１０４に信号を送信することを認証される。通信チップ１１０は、従来の通信チップ１１０と同様に、後方散乱変調によって信号を送信する。カードは、第１のＬＥＤ１３６などの適切なインジケータを使用して、認証に成功したことの表示を提供することができる。
【００７６】
指紋プロセッサ１２８とプロセッサ１１４とは、上記のように指紋センサ１３０を介して検出可能な任意のアクションを含むことができる指紋センサ１３０との非指紋相互作用の表示を受信することができる。指紋センサ１３０を介したユーザとカードとの相互作用は、非指紋認証の一部として使用され、スマートカードの別の動作モード間を切り替えることによってユーザがスマートカードを制御することを可能にするために使用することもできる。
【００７７】
場合によっては、指紋スマートカード１０２の所有者は、カード１０２に登録されている指に対する損傷をもたらす怪我を被るかもしれない。この損傷は、例えば、評価されている指の一部の傷跡であるかもしれない。このような損傷は、指紋照合が行われていないため、所有者がカード１０２によって認証されないことを意味するかもしれない。この場合、プロセッサ１１４は、スマートカード１０２との代替の相互作用（これは、この場合、指紋センサ１３０を介して検出された１つ以上のアクションならびにオプションで加速度計１６などの他のセンサを介して検出されたアクションを含む）を介して、バックアップ識別／認証チェックをユーザに促すかもしれない。カードは、第２のＬＥＤ１３８などの適切なインジケータを使用して、バックアップ識別／認証を使用するようにユーザに促すかもしれない。好ましくは、非指紋認証では、ユーザによるカードとの一連の相互作用が必要とされ、この順序は、ユーザによって予め設定される。非指紋認証のための予め設定された順序は、ユーザがカード１０２に登録するときに設定されてもよい。したがって、ユーザは、指紋認証が失敗する場合に使用されるべきカードとの非指紋相互作用を使用して入力された「パスワード」の形で非指紋認証を有することができる。同じタイプの非指紋認証は、ユーザが指紋センサ１３０を介してカード１０２に登録することができない、または登録に気が進まない場合に使用することができる。
【００７８】
したがって、指紋センサ１３０および指紋プロセッサ１２８を介した指紋認証に応答して、回路１１０を介してカードリーダ１０４との通信を可能にすることと同様に、プロセッサ１１４はまた、非指紋認証に応答してこのような通信を可能にするように構成することができる。
【００７９】
非指紋認証が使用される場合、カード１０２は通常どおりに使用されるように構成することができ、またはカード１０２の少ない動作モードまたは少ない機能が可能にされる劣化モードを提供することができる。例えば、スマートカード１０２が銀行カードとして機能することができると、非指紋認証は、カード１０２の通常の最大限度よりも低い最大出費制限を伴う取引を可能にすることができる。
【００８０】
プロセッサ１１４は、加速度計１６からの出力を受信し、これにより、プロセッサ１１４は、スマートカード１０２のどのような動きが行われたかを決定することができる。プロセッサ１１４は、スマートカードの動作モードに対する必要な変更にリンクされた、ユーザの予め設定された動きと、他のアクションとを識別する。上記のように、動きは、加速度計１６によって検出可能な回転、並進、加速、インパルスおよび他の動きの任意のタイプまたは組み合わせを含むことができる。ユーザの他のアクションは、上記のように、軽く叩く、強打するなど、指紋センサを介して検出されたアクションを含むことができる。
【００８１】
プロセッサ１１４が、動作モードにおける必要な変更に関連する識別された動きに応答して、起動する、または切り替える動作モードは、カードをオンまたはオフにすること、非接触支払いなどのカード１０２の安全な態様を活性化すること、または例えばアクセスカード、支払カード、輸送スマートカードとして動作することの間を切り替え、同じタイプ（例えば、２つの銀行口座）の別の口座間を切り替え、通信プロトコル（ブルートゥース（登録商標）、無線、ＮＦＣなど）間を切り替えることによってカード１０２の基本機能を変更すること、および／または通信プロトコルを起動すること、ＬＣＤまたはＬＥＤディスプレイなどのディスプレイを起動すること、ワンタイムパスワードなどのスマートカード１０２からの出力を得ること、またはスマートカード１０２の標準動作を自動的に実行するようにカード１０２を促すことを含む上記動作のいずれかのモードを含むことができる。
【００８２】
プロセッサ１１４は、スマートカード１０２の最初の使用の際に起動される登録モードを有する。登録モードでは、ユーザは、指紋センサ１３０を介して指紋データを登録するように促される。これは、指紋プロセッサ１２８が指紋テンプレートなど適切な指紋データを構築することができるようにする指紋センサ１３０を介した繰り返したスキャンを要求することができる。指紋データの登録が成功または失敗した後、ユーザは非指紋認証を入力するように促される。これは、指紋の登録が成功した場合はオプション、または指紋の登録が成功しなかった場合は強制的とすることができる。非指紋認証は、指紋センサ１３０を介して検出されたユーザによる少なくとも１つのアクションを含む、スマートカード１０２との一連の相互作用を含む。プロセッサ１１４は、これらの相互作用の記録をメモリに保持することができ、非指紋認証がユーザによって提供される場合に、カードの機能を使用するための少なくとも部分的な認証を提供するように構成され得る。
【００８３】
プロセッサ１１４は、スマートカード１０２が使用されている間に特定の動作モードを起動すべきアクション（アクション／相互作用の組み合わせを含む）をユーザが指定することを可能にする学習モードを有することができる。スマートカード１０２のこのタイプの制御は、成功した指紋認証または非指紋認証の後にのみ可能にされ得る。学習モードでは、プロセッサ１１４は、ユーザに所望の一連のアクションを行い、所定のセットの回数の間、動きを繰り返すように促す。次いで、これらの動きは、必要な動作モードまたは非指紋認証に割り当てられる。この後者の特徴により、学習モードは、従来のＰＩＮが変更されるのと同じ方法で、ユーザによって非指紋認証に使用される一連の動きを変更することを可能にすることができる。
【図１】
2019513256.tif 000003
【図２】
2019513256.tif 000004
【図３】
2019513256.tif 000005
【国際調査報告】
2019513256.tif 000006
2019513256.tif 000007
2019513256.tif 000008